(57)【要約】【課題】着用者にフィットしてずり下がりを防止する。【解決手段】下衣１は、端始末不要な伸縮性を有する生地を接続して形成する。下衣１は、下腹部を覆う本体部を備え、本体部は、左右脇において、生地が重なる重なり部４を有する。重なり部４は、上辺近傍において、長手方向が左右方向に形成され、生地の接続による緊締力を有する複数の接続帯が、上下方向に間隔を開けて配設される腰脇接続部４１を備える。【選択図】      図１
2020180383.tif 000002
【特許請求の範囲】
【請求項１】
端始末不要な伸縮性を有する生地を接続して形成する下衣であって、
下腹部を覆う本体部を備え、
前記本体部は、左右脇において、生地が重なる重なり部を有し、
前記重なり部は、上辺近傍において、長手方向が左右方向に形成され、前記生地の接続による緊締力を有する複数の接続帯が、上下方向に間隔を開けて配設される腰脇接続部を備える
ことを特徴とする下衣。
【請求項２】
前記重なり部は、下辺近傍において、前記生地の接続による緊締力を有する裾脇接続部を備える
ことを特徴とする請求項１に記載の下衣。
【請求項３】
前記腰脇接続部の上辺は、下辺に比べて左右方向に長く形成される
ことを特徴とする請求項１または２に記載の下衣。
【請求項４】
前記腰脇接続部の後端は、前端よりも、曲率の大きなカーブ形状に形成される
ことを特徴とする請求項１ないし３のいずれか１項に記載の下衣。
【請求項５】
前記重なり部は、前記本体部を形成する前身頃部および後身頃部の各生地を重ねて形成される
ことを特徴とする請求項１ないし４のいずれか１項に記載の下衣。
【発明の詳細な説明】
【技術分野】
【０００１】
本発明は、端始末不要な伸縮性を有する生地を接続して形成する下衣に関する。
【背景技術】
【０００２】
端始末不要の切断端を有する伸縮性素材で形成された下衣がある（例えば特許文献１参照）。特許文献１は、下衣のずりさがりを防止するために、左右脇線が、裾側が広く、ウエスト側が狭くなるように形成することを開示する。
【先行技術文献】
【特許文献】
【０００３】
【特許文献１】特開２０１２−１９３４８７号公報
【発明の概要】
【発明が解決しようとする課題】
【０００４】
特許文献１は、生地の形状を着用者のボディラインに合わせることによりずり下がりを防止することから、着用者のサイズに対する許容が小さい。従って着用者の下腹部のサイズによっては、ずり下がりが生じる場合がある。
【０００５】
従って本発明の目的は、着用者にフィットしてずり下がりを防止する下衣を提供することである。
【課題を解決するための手段】
【０００６】
上記課題を解決するために、本発明の特徴は、端始末不要な伸縮性を有する生地を接続して形成する下衣に関する。本発明の特徴に係る下衣は、下腹部を覆う本体部を備え、本体部は、左右脇において、生地が重なる重なり部を有する。重なり部は、上辺近傍において、長手方向が左右方向に形成され、生地の接続による緊締力を有する複数の接続帯が、上下方向に間隔を開けて配設される腰脇接続部を備える。
【０００７】
重なり部は、下辺近傍において、生地の接続による緊締力を有する裾脇接続部を備えても良い。
【０００８】
腰脇接続部の上辺は、下辺に比べて左右方向に長く形成されても良い。
【０００９】
腰脇接続部の後端は、前端よりも、曲率の大きなカーブ形状に形成されても良い。
【００１０】
重なり部は、本体部を形成する前身頃部および後身頃部の各生地を重ねて形成されても良い。
【発明の効果】
【００１１】
本発明によれば、着用者にフィットしてずり下がりを防止する下衣を提供することができる。
【図面の簡単な説明】
【００１２】
【図１】本発明の実施の形態に係る下衣の着用状態を説明する側面図である。
【図２】本発明の実施の形態に係る下衣の着用状態を説明する背面図である。
【図３】本発明の実施の形態に係る下衣の着用状態を説明する正面図である。
【図４】本発明の実施の形態に係る下衣を平置きし、右側の重なり部を表側から観察する図である。
【図５】本発明の実施の形態に係る下衣を平置きし、右側の重なり部を裏側から観察する図である。
【図６】本発明の実施の形態に係る重なり部を説明する図である。
【図７】本発明の実施の形態に係る重なり部を説明する拡大図である。
【図８】本発明の実施の形態に係る重なり部の伸びを説明する図である。
【図９】本発明の実施の形態で行った比較試験における比較対象の下衣を説明する図である。
【図１０】本発明の実施の形態で行った比較試験において、本発明の実施の形態に係る下衣を着用した着用者の運動前と運動後の状態を比較する図である。
【図１１】本発明の実施の形態で行った比較試験において、第１の比較下衣を着用した着用者の運動前と運動後の状態を比較する図である。
【図１２】本発明の実施の形態で行った比較試験において、第２の比較下衣を着用した着用者の運動前と運動後の状態を比較する図である。
【図１３】変形例に係る下衣の着用状態を説明する側面図である。
【図１４】変形例に係る下衣を平置きし、右側の重なり部を表側から観察する図である。
【発明を実施するための形態】
【００１３】
次に、図面を参照して、本発明の実施の形態を説明する。以下の図面の記載において、同一または類似の部分には同一または類似の符号を付している。
【００１４】
（実施の形態）
図１−図３を参照して、本発明の実施の形態に係る下衣１を説明する。下衣１は、端始末不要な伸縮性を有する生地を接続して形成される。下衣１を形成する各生地は、生地の切断面が露出してもほつれないので、切断面に糸をかけたり袋縫いしたりするなどの端処理が不要である。下衣１の生地の切断面が着用者の肌にあたっても、肌にかける負担が少なく、快適な肌触りが得られる。
【００１５】
本発明の実施の形態において下衣１は、男性用のボクサータイプの下着である場合を説明するが、これに限らない。下衣１は、例えば、ボクサータイプの下着に限らず、ブリーフ、トランクス、ステテコ等の他の男性用の下着であっても良いし、女性用の下着、ガードル、タイツ、スパッツ、レギンス等であっても良い。下衣１は、端始末不要な伸縮性を有する生地で形成され、ウエストを覆い、肌へのフィット感、特にウエストの左右脇での肌へのフィット感が要求される衣服であれば良い。
【００１６】
下衣１は、下腹部を覆う本体部を備え、本体部は、前身頃部２と、後身頃部３によって形成される。前身頃部２および後身頃部３は、それぞれ、端始末不要な伸縮性を有する生地で形成される。前身頃部２および後身頃部３は、左右脇で接続するとともに、クロッチで接続することにより、下腹部を被覆することができる。前身頃部２および後身頃部３は、ベアスムース、ベア天竺、ベアフライス、ベア片袋、ツーウェイラッセル、ツーウェイトリコット、ダブルラッセル等の素材が用いられる。
【００１７】
本発明の実施の形態において前身頃部２は、右前身頃部２１と左前身頃部２２を備える。右前身頃部２１と左前身頃部２２を重ねることで、男性の局部（男性器）を被覆するフロント部２３が形成される。右前身頃部２１および左前身頃部２２は、上方に設けられた左右一対の前身頃接続部２４において接続され、下方は接続されないことにより、フロント部２３に、男性の局部を出し入れ可能な開口が形成されても良い。後身頃部３は、一枚の生地で形成される。
【００１８】
前身頃部２および後身頃部３は、男性用、女性用、ガードル等の各下衣に求められる機能に応じて、適宜形成される。従って、前身頃部２および後身頃部３は、それぞれ、１枚の生地で形成されても良いし、３枚以上の生地で形成されても良い。
【００１９】
下衣１は、左右脇において、生地が重なる重なり部４を有する。重なり部４は、左右一対に形成される。本発明の実施の形態において重なり部４は、前身頃部２および後身頃部３の各生地を重ねて、形成される。重なり部４は、接着剤の接着により、前身頃部２と後身頃部３とを重ねて接続し、所望の緊締力を有する。
【００２０】
本発明の実施の形態において前身頃部２および後身頃部３は、接着剤によって接続される場合を説明するが、これに限らない。例えば、糸による縫着、熱圧着、抜蝕加工等の、生地の接続により緊締力が生じることが可能な方法で、接続されても良い。
【００２１】
本発明の実施の形態においては、前身頃部２および後身頃部３が左右脇で重なり接続することにより、重なり部４が形成される場合を説明するが、これに限られない。他の実施例において、左右脇以外での生地の切り替えまたは筒状に編むことにより、下腹部を被覆する下衣が形成される場合、左右脇に設けられた一枚の生地に、別の当て布を重ねることにより、重なり部４が形成されても良い。
【００２２】
本発明の実施の形態において下衣１を形成する各生地は、端始末不要で、生地の切断面においてほつれることはない。下衣１を形成する各生地は、伸縮性を有するので、着用者の胴囲にあわせて伸長して肌にフィットする。下衣１の上端は、生地の切りっぱなしの状態で、端始末がないので、肌当たりがよく快適な着用感が得られる。また下衣１は、後述の重なり部４の構成により、ウエストの左右脇に伸び止めが形成され、ウエストにゴム等の緊締力の高い弾性部材を配設しない場合でも、下衣１のずり下がりを防止することができる。
【００２３】
（重なり部）
図４および図５を参照して、重なり部４の構成を説明する。図４は、右側の重なり部４を、下衣１の外側（肌に接する面ではない面）を上にして平置きしたもので、図５は、下衣１を裏返し、右側の重なり部４を、下衣１の肌側（肌に接する面）を上にして平置きしたものである。図４の右側および図５の左側が、着用者の前方であって、図４の左側および図５の右側が、着用者の前方である。
【００２４】
図４および図５に示すように右前身頃部２１は肌側に配設され、右前身頃部２１の外側に、後身頃部３が配設される。後身頃部３の脇端３ａの上端は、前方に延伸して形成され、右前身頃部２１の脇端２ａの上端は、後方に延伸して形成される。ここで、前身頃部２の脇端２ａの上端が後方に延伸される長さは、後身頃部３の脇端３ａの上端が前方に延伸される長さに比べて、大きい。換言すると、後身頃部３の脇端３ａは、上端から大転子近傍位置にかけて、右前身頃部２１より小さなカーブを描き、大転子近傍位置から下端にかけて、直線形状を描いて形成される。一方、右前身頃部２１の脇端２ａは、上端から大転子近傍位置にかけて、後身頃部３よりも大きなカーブを描き、大転子近傍位置から下端にかけて、直線形状を描いて形成される。
【００２５】
本発明の実施の形態において、重なり部４を、前身頃部２および後身頃部３の２枚の生地を重ねて形成しているが、これに限らない。例えば、前身頃部２および後身頃部３の各脇端を直線形状に形成して、生地の接続に必要な重なりで接続し、逆三角形状の当て布を前身頃部２および後身頃部３の接続部分に重ねて、重なり部４が形成されても良い。また左右脇において前身頃部２および後身頃部３を重ねずに一枚の布で形成し、その布の上に逆三角形状の当て布を重ねて、重なり部４が形成されても良い。また右前身頃部２１が肌側に配設される場合を説明したが、後身頃部３が肌側に配設されても良い。
【００２６】
なお図４等に示すように、重なり部４の上端の前後端と、下端に、縫い止め４３が設けられる。縫い止め４３が設けられる部分は、負担がかかり接着がはがれやすいことから、縫い止め４３により、負担を軽減し接着を補強する。
【００２７】
重なり部４は、接着剤による接着が施されるので、重なり部４以外の部分に比べて伸縮性が低く、緊締力が高くなり、伸び止めとなる。これにより重なり部４は、下衣１のウエスト部分のなかでも伸びにくく、ウエスト部分の伸縮の支点となる。重なり部４は、ウエスト全体が伸縮する場合と比べて伸縮を抑制することができるので、ウエスト部分のずり下がりを防止することができる。
【００２８】
重なり部４は、図１、図４等に示すように、腰脇接続部４１および裾脇接続部４２を有する。腰脇接続部４１および裾脇接続部４２は、左右対称に形成される。大転子に対応する位置の近傍で、腰脇接続部４１と裾脇接続部４２は接続して、重なり部４が形成される。
【００２９】
（腰脇接続部）
腰脇接続部４１は、重なり部４の上方に設けられ、下衣１の上辺近傍において、前身頃部２と後身頃部３とを接続する。腰脇接続部４１は、前身頃部２と後身頃部３の各生地の接続による緊締力を有する。
【００３０】
具体的には腰脇接続部４１は、下衣１の上端のウエスト位置から大転子近傍位置において、上端が左右方向（胴回りの周方向）に長く下端が狭い、逆三角形状に形成される。本発明の実施の形態において、Ｍサイズ（ウエスト７６センチから８４センチ）の下衣１の場合、平置き状態で、下衣１の上端の全周５２．３センチである。この場合、右側の腰脇接続部４１の上端の左右方向の長さは、５センチから１５センチ程度であり、下端の長さは、０．５センチから２センチ程度である。腰脇接続部４１の上端の長さは、下衣１に用いられる生地の特性、接着剤の特性等によって適宜調整される。
【００３１】
腰脇接続部４１の上辺は、下辺に比べて左右方向に長く形成される。腰脇接続部４１は、上方から下方にかけて、徐々に左右方向の長さを短く形成する。
【００３２】
これにより腰脇接続部４１は、上下左右方向に広がる面で緊締力を発揮する。例えば、左右端のウエスト位置（上端）のみでずり下がりを防止する緊締力を実現する場合、ウエスト位置に大きな締め付け力が必要になり、着用者の肌当たりの不快感などが生じる場合がある。これに対し本発明の実施の形態に係る腰脇接続部４１は、ウエスト位置から大転子近傍位置において緊締力を生じさせる。腰脇接続部４１は左右脇を面で緊締することができるので、左右端のウエスト位置における締め付けを軽減し、肌当たりおよび着心地を改善することができる。また左右脇を面で緊締することにより、左右脇における下衣１と肌とのフィット感を向上させることもできる。
【００３３】
また腰脇接続部４１の左右方向の長さは、上方において長く、下方にかけて徐々に短くなるので、上端において強い緊締力を生じさせることができる。これにより、下衣１を腰脇接続部４１の上方から引き上げることパワーが強くなり、効果的にずり下がりを防止することができる。
【００３４】
腰脇接続部４１は、ウエスト近傍に比べて、大転子近傍において左右方向に小さく形成されるので、腰脇接続部４１の緊締力が大転子に与える影響は少ない。従って下衣１が肌にフィットしている状態でも、動きに伴う着くずれが生じにくい。
【００３５】
なお本発明の実施の形態において腰脇接続部４１の左右方向の長さは、上方において長く、下方にかけて徐々に短くなるように形成されるが、これに限られない。例えば、上辺近傍の単位面積あたりの接着剤の量を増やして緊締力を高く形成し、下方にかけて徐々に接着剤の量を減らして緊締力が低くなるように形成しても良い。
【００３６】
腰脇接続部４１の後端５ｂは、前端５ａよりも、曲率の大きなカーブ形状に形成される。腰脇接続部４１の後端５ｂは、ウエスト位置から大転子近傍位置にかけて大きなカーブを描く一方、前端５ａは、後端５ｂと比べて小さなカーブを描く。その結果、図３に示す正面図において重なり部４が観察される面積よりも、図２に示す背面図において重なり部４が観察される面積の方が大きい。重なり部４の腰脇接続部４１が、前側よりも背側に広く配設されることにより、骨盤に対応する位置に腰脇接続部４１を安定的に配設することができる。これにより腰脇接続部４１の緊締力を効果的に発揮することができ、さらに腰脇接続部４１の緊締力による着用者の違和感を軽減することもできる。
【００３７】
（腰脇接続部の接着）
図６を参照して、本発明の実施の形態に係る腰脇接続部４１の接着部分について説明する。図６は、型紙の重なり部４を切り出した図である。図６に示す図において重なり部４の「○」部分に接着剤が塗布される。接着剤はドット形状を有し、離散的に均一に塗布される。
【００３８】
腰脇接続部４１において、長手方向が左右方向（周方向）に形成される複数の接続帯４４が、上下方向に間隔を開けて配設される。接続帯４４は、前身頃部２と後身頃部３との生地の接続による緊締力を有する部分である。接続帯４４は、前身頃部２と後身頃部３を接着する接着剤が塗布される部分と、その周辺の部分であって、所定の緊締力を発揮する部分である。
【００３９】
図６に示すように、腰脇接続部４１は、接着剤が塗布され緊締力を有する接続帯４４と、接着剤が塗布されない非接続帯４５とが、上下方向に互い違いに配設される。これにより腰脇接続部４１は、左右方向（周方向）の緊締力と上下方向の伸びを、両立することを可能にする。
【００４０】
腰脇接続部４１において、非接続帯４５が配設されることなく全面に接着剤が塗布される場合、腰脇部分が強く緊締される。上半身の動きに伴って、ウエスト位置から大転子近傍位置の皮膚が伸長収縮するところ、腰脇部分の緊締力が強い場合、皮膚の伸長収縮に追従できず、動きづらさが生じたり、着くずれが生じたりする。上半身の動きに伴うウエスト位置から大転子近傍位置の皮膚が伸長は、左右方向（着用者の幅方向）よりも、上下方向（着用者の高さ方向）の方が、顕著である場合が多い。
【００４１】
そこで本発明の実施の形態において、上下方向において接続帯４４と非接続帯４５とを交互に配設することにより、腰脇接続部４１は、上下方向の伸びに対応することができる。腰脇接続部４１は、上半身の動きに伴って、ウエスト位置から大転子近傍位置の皮膚が伸長収縮する場合でも、皮膚の伸長収縮に追従することができる。これにより腰脇接続部４１は、動きやすさ、着くずれのしにくさ等を実現することができる。
【００４２】
本発明の実施の形態において接続帯４４と非接続帯４５の上下方向の長さは、概ね８：５であるが、生地または接着剤の特性により、７：３から５：８程度が好ましい。非接続帯４５の上下方向の長さは、非接続帯４５の伸びの規制による影響が少なく、腰脇接続部４１に要求される上下方向の伸長を確保可能な長さがあればよい。接続帯４４と非接続帯４５の長さは、前身頃部２および後身頃部３に用いられる生地の特性、接着剤の特性等に応じて適宜設定される。
【００４３】
図７および図８を参照して、腰脇接続部４１の接続帯４４および非接続帯４５を詳述する。図７は、図６に示す領域Ｒの拡大図である。図７および図８において、生地の伸び度を、大、大マイナス、中および小の４段階で示す。大、大マイナス、中、小の順で伸びが小さくなる。図７（ａ）は、接続帯４４において、接着剤が塗布される塗布部４４ａと塗布されない非塗布部４４ｂのそれぞれの伸びを個別に示し、図７（ｂ）は、塗布部４４ａと非塗布部４４ｂとが混在する接続帯４４の伸びを示す。
【００４４】
接続帯４４は、図７（ａ）に示すように、接着剤が塗布される塗布部４４ａと接着剤が塗布されない非塗布部４４ｂとを有する。塗布部４４ａは、接着剤による影響で、単位面積あたりの伸びは、小である。これに対し非塗布部４４ｂは、接着剤が塗布されていないものの塗布部４４ａによる伸びの規制の影響を受け、単位面積あたりの伸びは、大マイナスとなる。接続帯４４は、塗布部４４ａと非塗布部４４ｂが混在する結果、図７（ｂ）に示すように、単位面積あたりの伸びは、中となる。接着剤が均一に塗布されることから、接続帯４４における伸びは、左右方向および上下方向も同様である。
【００４５】
非接続帯４５は、接着剤が塗布されないので、上下方向および左右方向において、非接続帯４５の単体では単位面積あたりの伸びは、大となる。しかしながら、非接続帯４５の上下方向に接続帯４４が隣接し、腰脇接続部４１の主な部分において、接続帯４４および非接続帯４５はともに、左右方向が長手方向となる。従って、非接続帯４５は左右方向において、接続帯４４の緊締力の規制を受けて伸びにくくなり、単位面積あたりの伸びは大マイナスとなる。
【００４６】
この結果、図８に示すように、腰脇接続部４１は、左右方向において、単位面積あたりの伸びが中と大マイナスを繰り返す。また腰脇接続部４１は、上下方向において、単位面積あたりの伸びが中と大を繰り返す。従って、腰脇接続部４１は、左右方向において伸びにくく、上下方向において伸びやすく形成される。
【００４７】
また、腰脇接続部４１は、上辺近傍において左右方向に長く形成されるので、腰脇接続部４１の上辺近傍において、左右方向は伸びにくく（緊締力が大きい）なるように、形成することができる。また、下辺に近づくにつれて、腰脇接続部４１の左右方向の長さは短くなるので、左右方向において、伸びにくさは徐々に軽減され、徐々に伸びやすく（緊締力が小さく）なるように形成される。
【００４８】
このように腰脇接続部４１は、左右方向において、上辺近傍において伸びにくく、下方に近づくにつれ徐々に伸びやすくなり、上下方向において、伸びやすく形成することができる。これにより腰脇接続部４１は、左右方向の緊締力と上下方向への伸びを両立して、左右脇において伸び留めを形成し、かつ皮膚の伸縮に追従することが可能となる。また上辺近傍において伸びにくく形成することにより、効率的に下衣１のずり下がりを防止することができる。
【００４９】
なお本発明の実施の形態に係る腰脇接続部４１は、腰脇接続部４１の大きさ、接続帯４４と非接続帯４５の大きさ、接続帯４４における塗布部４４ａと非塗布部４４ｂの大きさ等により特定される。これらを適宜調節することにより、上下方向および左右方向において所望の緊締力および伸びを実現することができる。
【００５０】
（裾脇接続部）
裾脇接続部４２は、重なり部４の下方に設けられる。裾脇接続部４２は、重なり部４の下辺近傍において、前身頃部２と後身頃部３とを接続する。裾脇接続部４２は、前身頃部２と後身頃部３の各生地の接続による緊締力を有する。
【００５１】
裾脇接続部４２において前身頃部２および後身頃部３は、大転子近傍位置から下衣１の下端において、上下に長い矩形形状に接続される。裾脇接続部４２は、直線形状に形成されることにより、裾と肌をフィットさせ、裾のずり上がりを防止する。本発明の実施の形態において、Ｍサイズ（ウエスト７６センチから８４センチ）の下衣１の場合、平置き状態で、右側の裾脇接続部４２の下端の左右方向の長さは、０．５ミリから２センチ程度である。裾脇接続部４２の左右方向の長さは、下衣１に用いられる生地の特性、接着剤の特性等によって適宜調整される。
【００５２】
裾脇接続部４２は、前身頃部２と後身頃部３を接着する接着剤が塗布される部分と、その周辺の部分であって、所定の緊締力を発揮する部分である。図６に示すように裾脇接続部４２は、上下左右方向に均一に接着剤が塗布され、連続的に接続される。これにより裾脇接続部４２は、上下方向にわたって肌にフィットして配設され、裾のずり上がりを防止することができる。また裾脇接続部４２が配設される位置は、大転子よりも下方であるので、大転子よりも上方と比べて着用者の動きに伴う皮膚の伸縮が小さい。従って、腰脇接続部４１のように上下方向に間隔をあけなくとも、動きにくさおよび着くずれが生じにくい。
【００５３】
（試験）
本発明の重なり部４について比較試験を行った結果を示す。比較試験では、本発明の実施の形態に係る下衣１と、比較対象となる比較下衣とのそれぞれを試験者が着用して、その試験者から得られたアンケートを比較する。第１の比較下衣は、図９（ａ）に示すように、前身頃部と後身頃部の脇を直線状に接続した下衣であって、前身頃部と後身頃部の脇の接続部分の左右方向の長さは、０．８センチである。また第２の比較下衣は、図９（ｂ）に示すように、前身頃部と後身頃部の脇を逆三角形状に接続した下衣であって、前身頃部と後身頃部の脇の接続部分は、本発明の実施の形態に係る重なり部４と同一形状で、接続部分全面に接着剤が塗布されている点が異なる。
【００５４】
図１０ないし図１２は、本発明の実施の形態に係る下衣１、第１の比較下衣および第２の比較下衣を着用した着用者の側面図を示す。図１０ないし図１２の各左図は、各下衣を着用して馴染ませた状態（運動前）で、各右図は各下衣を着用して馴染ませ、着用者が所定の下半身運動を行った後の状態（運動後）である。所定の下半身運動は、屈伸３回と足踏み１０回である。
【００５５】
本発明の実施の形態に係る下衣１を着用した場合、図１０に示すように、運動前後ともに、脇の上端位置はＬ１上にあり、脇の上端位置は変わりない。第１の比較下衣を着用した場合、図１１に示すように、運動後における脇の上端位置は、運動前における脇の上端位置Ｌ２よりも、１．５センチ低く、運動により脇側の上端が下方にずり落ちることが確認された。第２の比較下衣を着用した場合、図１２に示すように、運動後における脇の上端位置は、運動前における脇の上端位置Ｌ３よりも、１．０センチ低く、運動により脇側の上端が下方にずり落ちることが確認された。
【００５６】
本発明の実施の形態に係る下衣１は、第１の比較下衣および第２の比較下衣と比べて、下半身運動をしても脇側上端がずれず、着用者にフィットしていることがわかる。
【００５７】
このように本発明の実施の形態に係る下衣１は、着用者にフィットしてずり下がりを防止することができる。
【００５８】
（生地特性）
前身頃部２および後身頃部３は、上下方向（着用者の着丈方向）の伸び率が、１３０％から１９０％程度で、左右方向（着用者の幅方向）の伸び率が、１９０％から２６０％程度の素材が好ましい。前身頃部２および後身頃部３は、伸長回復力が、上下方向および秀方向ともに、２０ｃＮから６０ｃＮ程度の素材が好ましい。
【００５９】
本発明の実施の形態において、伸び率および伸長回復力は、１６０ｍｍ×２５ｍｍの試験片を、上部つかみ２５ｍｍ、下部つかみ３５ｍｍおよびつかみ間隔１００ｍｍで、定速伸長形引張試験機に取り付けて、測定される。生地の経方向および緯方向がそれぞれ長手方向（１６ｍｍ側）になるように裁断された、複数の試験片が用いられる。
【００６０】
伸び率は、試験片を定速伸長形引張試験機に取り付け、試験片を左右方向および上下方向にそれぞれ荷重１４．７Ｎをかけて測定されたものである。伸長回復力は、試験片を定速伸長形引張試験機に取り付け、３００ｍｍ／分程度の速度で伸長回復を複数回繰り返し、３０％伸長した際の伸長力（ｃＮ）と、３０％に回復した際の回復力（ｃＮ）の平均により算出される。
【００６１】
（変形例）
図１３および図１４を参照して、変形例に係る下衣１ａを説明する。下衣１ａは、本発明の実施の形態に係る下衣１と比べて、ウエスト位置が低く、いわゆるローライズタイプの男性用下着である。変形例に係る下衣１ａにおいても、実施の形態に係る下衣１と同様に、左右脇に重なり部４ａを設け、重なり部４ａは、腰脇接続部４１ａと裾脇接続部４２ａを有する。
【００６２】
変形例においても、実施の形態と同様に、重なり部４ａの大きさ、重なり部４ａにおける接続帯と非接続帯の大きさ、接続部における塗布部と非塗布部の大きさを適宜調節することができる。これにより、重なり部４ａは、上下方向および左右方向において所望の緊締力および伸びを実現することができる。
【００６３】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００６４】
例えば、本発明の実施の形態において、下衣１は、男性用のボクサーパンツの場合を説明したが、女性用ショーツ等の他の下衣であっても良い。
【００６５】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００６６】
１  下衣
２  前身頃部
３  後身頃部
４  重なり部
４ａ  前端
４ｂ  後端
２１  右前身頃部
２２  左前身頃部
２３  フロント部
２４  前身頃接続部
４１  腰脇接続部
４２  裾脇接続部
４３  縫い止め
４４  接続帯
４４ａ  塗布部
４４ｂ  非塗布部
４５  非接続帯
【図１】
2020180383.tif 000003
【図２】
2020180383.tif 000004
【図３】
2020180383.tif 000005
【図４】
2020180383.tif 000006
【図５】
2020180383.tif 000007
【図６】
2020180383.tif 000008
【図７】
2020180383.tif 000009
【図８】
2020180383.tif 000010
【図９】
2020180383.tif 000011
【図１０】
2020180383.tif 000012
【図１１】
2020180383.tif 000013
【図１２】
2020180383.tif 000014
【図１３】
2020180383.tif 000015
【図１４】
2020180383.tif 000016